(57)【特許請求の範囲】
【請求項１】
基台と、
前記基台に設けられた回転支点を中心に回動する第１の搬送ユニットと、
前記第１の搬送ユニットに設けられた回転支点を中心に回動する第２の搬送ユニットと、
前記基台に回転支点を有し、前記第１の搬送ユニットの開放時に、前記第１の搬送ユニットの閉作動を係止する係止部が設けられた第１の支持部材と、
前記第１の搬送ユニットに回転支点を有し、前記第２の搬送ユニットの開放時に、前記第２の搬送ユニットの閉作動を係止する係止部が設けられた第２の支持部材と、を備えたプリンタ装置において、
回動可能に設けられたロック部材と、前記ロック部材に係合する係合部と、前記ロック部材を前記係合部の方向に付勢する付勢部材とを有し、前記第１の搬送ユニットと前記第２の搬送ユニットとを連結する連結機構を設け、
前記ロック部材は、前記第１の搬送ユニットの前記基台への閉鎖時に、前記係合部との係合位置から退避し、
前記第１および第２の搬送ユニットを開作動させた後の、前記第２の搬送ユニットの前記第１の搬送ユニットへの閉作動時に、前記第２の搬送ユニットが前記第１の搬送ユニットに接近すると、前記連結機構の前記係合部が前記付勢部材の付勢力に抗して前記ロック部材を回動させた後、前記付勢部材の付勢力により前記ロック部材が前記係合位置に回動して前記係合部に係合することを特徴とするプリンタ装置。
【請求項２】
基台と、
前記基台に設けられた回転支点を中心に回動する第１の搬送ユニットと、
前記第１の搬送ユニットに設けられた回転支点を中心に回動する第２の搬送ユニットと、
前記基台に回転支点を有し、前記第１の搬送ユニットの開放時に、前記第１の搬送ユニットの閉作動を係止する係止部が設けられた第１の支持部材と、
前記第１の搬送ユニットに回転支点を有し、前記第２の搬送ユニットの開放時に、前記第２の搬送ユニットの閉作動を係止する係止部が設けられた第２の支持部材と、を備えたプリンタ装置において、
前記第２の支持部材に形成され、前記第１の搬送ユニットのユニット側面の鉛直方向に延在する係合部と、
前記係合部に係合する爪部を有し、前記ユニット側面と平行に設けられた回転軸を中心に回動するロックレバーと、
前記ロックレバーの前記爪部側の角部に形成され、前記第２の搬送ユニットの閉作動時に、前記係合部の先端が押圧する傾斜部と、
前記ロックレバーの爪部を、前記第２の支持部材の係合部に係合させる方向に付勢するロックスプリングと、
前記ロックレバーの、前記回転軸を挟んだ反対側に形成された突起部と、
前記ロックレバーの突起部を押圧する斜面と、前記基台の前記第１の搬送ユニット側の面を押圧する押圧部とを有し、前記ユニット側面に沿って往復移動する開閉レバーと、
前記開閉レバーを前記基台の方向に付勢する開閉スプリングと、を設け、
前記第１の搬送ユニットと前記基台との閉鎖時に、前記開閉レバーの押圧部による前記基台の押圧により、前記斜面によって前記ロックレバーの突起部を押圧して、前記爪部と前記第２の支持部材の係合部との係合を解除し、
前記第１の搬送ユニットの前記基台からの開放時に、前記開閉スプリングより、前記開閉レバーの斜面による前記ロックレバーの突起部の押圧を解除して、前記ロックスプリングにより前記爪部を前記第２の支持部材の係合部との係合位置に回動させ、
前記第２の搬送ユニットの前記第１の搬送ユニットへの閉作動時に、前記第２の支持部材の係合部の先端により前記ロックレバーの傾斜部を押圧して、前記ロックスプリングの付勢力により前記爪部と前記第２の支持部材の係合部とを係合させることを特徴とするプリンタ装置。
【請求項３】
請求項２において、
前記開閉レバーに、前記開閉スプリングの付勢力に抗して、前記開閉レバーを前記第２の搬送ユニットの方向に移動させる引き手を設けたことを特徴とするプリンタ装置。
【発明の詳細な説明】
【技術分野】
【０００１】
本発明は、通帳等の冊子状の媒体や、伝票等のシート状の媒体等の各種の媒体を取扱うプリンタ装置に関する。
【背景技術】
【０００２】
従来のプリンタ装置は、通帳挿入路および伝票挿入路からなる２つの搬送路を設けたインサータユニットと、通帳挿入路および伝票挿入路の合流部の下流側に印字部を設けた本体ユニットとを備え、インサータユニットを本体ユニットに着脱自在に装着し、通帳挿入路または伝票挿入路におけるジャム等の搬送障害の発生時やインクリボンの交換時に、本体ユニットからインサータユニットを取外して、ジャムを生じさせた伝票または通帳の除去やインクリボンの交換を行っている（例えば、特許文献１参照。）。
【先行技術文献】
【特許文献】
【０００３】
【特許文献１】特開平８−２２４９２５号公報（段落０００９、００３０−００３４、第１図、第４図）
【発明の概要】
【発明が解決しようとする課題】
【０００４】
しかしながら、上述した従来の技術においては、インサータユニットに通帳挿入路および伝票挿入路からなる２つの搬送路が設けられているため、これらの搬送路の途中でジャムが発生した場合には、搬送路の隙間からジャムを生じさせた伝票または通帳等の媒体を引き抜いて除去することが必要であり、ジャムを生じさせたジャム媒体の除去作業に時間を要するという問題がある。
【０００５】
このため、インサータユニットの２つの搬送路を、それぞれ開放することが可能な開閉機構を設ければ、ジャム媒体の除去作業の効率化を図ることができる。
【０００６】
図１１は、インサータユニットの一般的な開閉機構を示す側面図である。
【０００７】
図１１において、１はプリンタ装置であり、Ａ４サイズの媒体を取扱うことが可能なように構成されている。
【０００８】
２はプリンタ装置１の印字ユニットであり、インクリボン式の印字部を構成する印字ヘッド３および印字ヘッド３の移動機構等が組込まれており、通帳や伝票等の媒体にそれぞれの記載内容を印字する機能を有している。
【０００９】
４はプリンタ装置１のインサータユニットであり、挿入口５ａから挿入された媒体を印字ユニット２へ搬送する挿入搬送路５、および印字ユニット２で印字された媒体を排出口６ａへ搬送する排出搬送路６が形成されており、挿入搬送路５と排出搬送路６の分岐部には、回転軸７ａを中心に回動して搬送される媒体の搬送方向を切替える合成樹脂等で形成された切替ブレード７が設けられている。
【００１０】
９はプリンタ装置１の基台であり、挿入搬送路５や印字ユニット２との間に形成された印字搬送路１０を構成する図示しないプレッシャローラや、印字ヘッド３に対向配置された印字部を構成する図示しないプラテン等が組込まれている。
【００１１】
上記の印字ユニット２は、基台９の基台側面９ａの挿入口５ａの反対側の端部に取付けられたブラケットに設けられた回転支点２ａを中心に回動可能に構成されており、閉鎖時には、図示しない解除レバーを有するロック機構により基台９にロックされている。
【００１２】
１１は第１の搬送ユニットとしての中間ユニットであり、基台９の基台側面９ａの挿入口５ａ側の端部に取付けられたブラケットに設けられた回転支点１１ａを中心に回動可能に構成され、挿入搬送路５を構成する図示しない搬送ローラおよびその駆動機構や切替ブレード７の駆動機構、排出搬送路６を構成する図示しないプレッシャローラ等が組込まれている。
【００１３】
１２は第２の搬送ユニットとしてのカバーユニットであり、中間ユニット１１のユニット側面１１ｂの排出口６ａ側の端部に取付けられたブラケットに設けられた回転支点１２ａを中心に回動可能に構成され、排出搬送路６を構成する図示しない搬送ローラおよびその駆動機構等が組込まれており、印字ユニット２側の中間ユニット１１の反対側の隅部には把手１３が設けられている。
【００１４】
１４は第１の支持部材としての中間ユニット支持ステイであり、基台９の基台側面９ａに設けられた回転支点１４ａを中心に回動可能に構成され、中間ユニット１１のユニット側面１１ｂに固定されたガイドピン１５に嵌合するガイド溝１６が形成されており、その回転支点１４ａの反対側の端部には、中間ユニット１１の開放時に、中間ユニット１１の閉作動を係止する係止部１６ａが設けられている（図１４参照）。
【００１５】
１７は第２の支持部材としてのカバーユニット支持ステイであり、中間ユニット１１のユニット側面１１ｂに設けられた回転支点１７ａを中心に回動可能に構成され、カバーユニット１２のユニット側面１２ｂに固定されたガイドピン１８に嵌合するガイド溝１９が形成されており、その回転支点１７ａの反対側の端部には、カバーユニット１２の開放時に、カバーユニット１２の閉作動を係止する係止部１９ａが設けられている（図１４参照）。
【００１６】
上記の基台９と、基台９に回動可能に設けられ中間ユニット支持ステイ１４により開放支持される中間ユニット１１と、中間ユニット１１に回動可能に設けられカバーユニット支持ステイ１７により開放支持されるカバーユニット１２とによりインサータユニット４が構成され、図１１に示すように、中間ユニット１１の基台９への閉鎖時に、基台９の中間ユニット１１側の面（ガイド面９ｂという。）と、中間ユニット１１の基台９側の面（ガイド面１１ｃという。）とが、所定の間隔を介して対向配置されて挿入搬送路５が形成され、カバーユニット１２の中間ユニット１１への閉鎖時に、中間ユニット１１のカバーユニット１２側の面（ガイド面１１ｄという。）と、カバーユニット１２の中間ユニット１１側の面（ガイド面１２ｃという。）とが、所定の間隔を介して対向配置されて排出搬送路６が形成される。
【００１７】
また、中間ユニット１１およびカバーユニット１２の閉鎖時には、印字ユニット２の開作動により解除される図示しないロック機構により基台９にロックされている。
【００１８】
このような構成のプリンタ装置１において、挿入搬送路５および／もしくは排出搬送路６による媒体の搬送中に、ジャム等の搬送障害が発生した場合は、操作者は、図示しない解除レバーを操作して印字ユニット２のロック機構を解除し、図１２に示すように、印字ユニット２を回転支点２ａを中心に回動させて、回転支点１１ａを中心とした切替ブレード７の先端の移動軌跡（図１２に示す２点鎖線）の外側に退避させ、この開作動に連動したインサータユニット４のロック機構を解除した後に、カバーユニット１２の把手１３を持上げて、図１３に示すように、カバーユニット１２を回転支点１２ａを中心に中間ユニット１１から開作動させ、これに連動したインサータユニット４のロック機構を解除する。
【００１９】
このとき、カバーユニット１２に固定されたガイドピン１８の移動により、これに嵌合するカバーユニット支持ステイ１７のガイド溝１９が押されてカバーユニット支持ステイ１７が回転支点１７ａを中心に回動し、ガイドピン１８がガイド溝１９の回動に伴う頂部に達すると（図１３参照）、把手１３に加えられた持上げ力が、カバーユニット支持ステイ１７を介して中間ユニット１１に伝達され、中間ユニット１１を回転支点１１ａを中心に回動させて基台９から開作動させる（図１４参照）。
【００２０】
そして、中間ユニット１１に固定されたガイドピン１５の移動により、これに嵌合する中間ユニット支持ステイ１４のガイド溝１６が押されて中間ユニット支持ステイ１４が回転支点１４ａを中心に回動し、ガイドピン１５がガイド溝１６の回動に伴う頂部に達したときに把手１３に加える持上げ力を緩めると、図１４に示すように、中間ユニット１１のガイドピン１５がガイド溝１６の係止部１６ａに係止され、カバーユニット１２のガイドピン１８がガイド溝１９の係止部１９ａに係止されて、中間ユニット１１およびカバーユニット１２がそれぞれ開放支持され、挿入搬送路５および排出搬送路６が開放され、それぞれのガイド面９ｂ、１１ｃ、およびガイド面１１ｄ、１２ｃが露出する。
【００２１】
挿入搬送路５および排出搬送路６の解放後に、操作者等は、挿入搬送路５および／もしくは排出搬送路６に存在するジャム媒体を除去し、把手１３を持上げながらカバーユニット支持ステイ１７に手を添えてカバーユニット１２のガイドピン１８とガイド溝１９の係止部１９ａとの係止を解除し、図１５に示すように、カバーユニット１２を回転支点１２ａを中心に中間ユニット１１へ閉作動させ、その後に中間ユニット支持ステイ１４に手を添えて中間ユニット１１のガイドピン１５とガイド溝１６の係止部１６ａとの係止を解除し、図１６に示すように、中間ユニット１１を回転支点１１ａを中心に基台９へ閉作動させ、次いで印字ユニット２を閉作動させ、インサータユニット４および印字ユニット２を基台９に自動的にロックさせる。
【００２２】
このようにして、インサータユニット４の挿入搬送路５および／もしくは排出搬送路６に存在するジャム媒体の除去作業が行われる。
【００２３】
しかしながら、上記したインサータユニット４の一般的な開閉機構を有するプリンタ装置１においては、カバーユニット１２に設けた把手１３を持上げるだけで、挿入搬送路５および排出搬送路６が連動して大きく開放されるので、ジャム媒体の除去作業を容易かつ効率的に行うことができるが、ジャム媒体の除去後にインサータユニット４を元の状態に閉鎖する場合は、カバーユニット１２のガイドピン１８とカバーユニット支持ステイ１７の係止部１９ａとの係止を解除した後の、中間ユニット１１のガイドピン１５と中間ユニット支持ステイ１４の係止部１６ａとの係止を解除するときに、把手１３を手で支えていたとしても、中間ユニット１１を支持するものがなくなるため（図１５参照）、操作者が不用意にユニット支持ステイ１４による係止を解除すると、中間ユニット１１が操作者の意に反して急激に閉作動して基台９に衝突し、樹脂製の切替ブレード７等の中間ユニット１１や基台９の部品を損傷させる恐れがあるという問題がある。
【００２４】
また、カバーユニット１２の閉鎖後に中間ユニット１１を手で支えてユニット支持ステイ１４による係止を解除すると、支える場所によっては指等を挟まれる場合があり、安全にジャム媒体の除去作業を行うことができないという問題がある。
【課題を解決するための手段】
【００２５】
本発明は、上記課題を解決するために、基台と、前記基台に設けられた回転支点を中心に回動する第１の搬送ユニットと、前記第１の搬送ユニットに設けられた回転支点を中心に回動する第２の搬送ユニットと、前記基台に回転支点を有し、前記第１の搬送ユニットの開放時に、前記第１の搬送ユニットの閉作動を係止する係止部が設けられた第１の支持部材と、前記第１の搬送ユニットに回転支点を有し、前記第２の搬送ユニットの開放時に、前記第２の搬送ユニットの閉作動を係止する係止部が設けられた第２の支持部材と、を備えたプリンタ装置において、回動可能に設けられたロック部材と、前記ロック部材に係合する係合部と、前記ロック部材を前記係合部の方向に付勢する付勢部材とを有し、前記第１の搬送ユニットと前記第２の搬送ユニットとを連結する連結機構を設け、  前記ロック部材は、前記第１の搬送ユニットの前記基台への閉鎖時に、前記係合部との係合位置から退避し、前記第１および第２の搬送ユニットを開作動させた後の、前記第２の搬送ユニットの前記第１の搬送ユニットへの閉作動時に、前記第２の搬送ユニットが前記第１の搬送ユニットに接近すると、前記連結機構の前記係合部が前記付勢部材の付勢力に抗して前記ロック部材を回動させた後、前記付勢部材の付勢力により前記ロック部材が前記係合位置に回動して前記係合部に係合することを特徴とする。
【発明の効果】
【００２６】
これにより、本発明は、第１および第２の搬送ユニットの解放後の閉作動に、第１の搬送ユニットが操作者の意に反して急激に閉作動することを防止することができ、第１の搬送ユニットや基台の部品を損傷させる恐れを解消することができると共に、指等の挟み込みを防止して、安全にジャム媒体の除去作業を行うことができるという効果が得られる。
【図面の簡単な説明】
【００２７】
【図１】実施例１のプリンタ装置の側面を示す説明図
【図２】実施例１の連結機構を示す説明図
【図３】実施例１の連結機構の動作を示す説明図
【図４】実施例１のロックレバーを示す説明図
【図５】実施例１の開閉レバーを示す説明図
【図６】実施例１のインサータユニットの開作動の手順を示す説明図
【図７】実施例１のインサータユニットの開作動の手順を示す説明図
【図８】実施例１のインサータユニットの開放状態を示す説明図
【図９】実施例１のインサータユニットの閉作動の手順を示す説明図
【図１０】実施例１のインサータユニットの閉鎖状態を示す説明図
【図１１】一般的なプリンタ装置の側面を示す説明図
【図１２】一般的なインサータユニットの開作動の手順を示す説明図
【図１３】一般的なインサータユニットの開作動の手順を示す説明図
【図１４】一般的なインサータユニットの開放状態を示す説明図
【図１５】一般的なインサータユニットの閉作動の手順を示す説明図
【図１６】一般的なインサータユニットの閉鎖状態を示す説明図
【発明を実施するための形態】
【００２８】
以下に、図面を参照して本発明によるプリンタ装置の実施例について説明する。
【実施例１】
【００２９】
以下に、図１ないし図１０を用いて本実施例のプリンタ装置について説明する。
【００３０】
なお、上記一般的な開閉機構を有するプリンタ装置と同様の部分は、同一の符号を付してその説明を省略する。
【００３１】
また、図２は図１のＡ部を示す拡大図であり、図３は図２の右方向から見た側面図、図４（ａ）および図５（ａ）はそれぞれ図２と同方向から見た側面図、図４（ｂ）および図５（ｂ）はそれぞれ図４（ａ）および図５（ａ）の右方向から見た側面図である。
【００３２】
本実施例の中間ユニット１１のユニット側面１１ｂには、カバーユニット１２と中間ユニット１１とを連結する連結機構２１が設けられている。
【００３３】
また、本実施例のカバーユニット支持ステイ１７の回転支点１７ａ側の端部には、その端部をユニット側面１１ｂから離間する方向にＬ字状に曲折した、中間ユニット１１のユニット側面１１ｂの鉛直方向に延在する係合部２２が形成されている（図３参照）。
【００３４】
以下に、本実施例の連結機構２１について説明する。
【００３５】
図１、図２において、２３は連結機構２１の取付ブラケットであり、鋼板等の板材をコの字状に曲折して形成され、そのコの字状の開放側を中間ユニット１１のユニット側面１１ｂから離間する方向に向け、長手方向を中間ユニット１１の挿入搬送路５のガイド面１１ｃの鉛直方向に向けて、ユニット側面１１ｂに固定されている。
【００３６】
２４はロックレバーであり、図４に示すように、鋼板等の板材をコの字状に曲折して形成され、そのコの字状の開放側を中間ユニット１１のユニット側面１１ｂの方向に向けて、取付ブラケット２３のコの字状の内側に配置されており、取付ブラケット２３の両側の側板２３ａ間に、その長手方向の直交方向で、ユニット側面１１ｂと平行に設けられた回転軸２５に嵌合穴２５ａにより嵌合して回転軸２５を中心に回動可能に取付けられ、図３に示すように、回転軸２５に設けられたトーションスプリング等のロックスプリング２６で、爪部２７がユニット側面１１ｂの方向に回動するように付勢されている。
【００３７】
この爪部２７は、ロックレバー２４のカバーユニット１２側の端部に形成され、図３に示すように、カバーユニット支持ステイ１７の係合部２２に係合する。
【００３８】
またロックレバー２４の爪部２７側の角部には、ユニット側面１１ｂに向かって拡大する傾斜部２８が形成され、カバーユニット１２の中間ユニット１１への閉作動時に、カバーユニット支持ステイ１７の係合部２２の先端が押圧する（図３（ｂ）参照）。
【００３９】
また、ロックレバー２４の回転軸を挟んだ反対側の端部には、ユニット側面１１ｂから離間する方向に突出する突起部２９が形成されている（図３参照）。
【００４０】
３１は開閉レバーであり、図５に示すように、鋼板等の板材を曲折して形成され、取付ブラケット２３の印字ユニット２側の側板２３ａに沿った部位には、回転軸２５および中間ユニット１１のガイド面１１ｃの鉛直方向の基台９側に設けられ、側板２３ａに固定されたスライドピン３２にそれぞれ嵌合するスライド溝３３が形成されており（図３参照）、ユニット側面１１ｂに沿って、取付ブラケット２３の長手方向（スライド方向ともいう。）に往復移動可能に取付けられ、図２に示すように、開閉レバー３１に形成された取付穴３４ａと取付ブラケット２３の側板２３ａに設けられて取付部３４ｂとの間に取付けられた引張コイルスプリング等の開閉スプリング３４で、基台９の方向に付勢されている。
【００４１】
この開閉レバー３１のロックレバー２４の突起部２９に対向する部位には、ユニット側面１１ｂから離間する方向に拡大する斜面３５が形成され、ロックレバー２４の突起部２９が当接する。
【００４２】
また、開閉レバー３１の基台９側の端部には、その端部をユニット側面１１ｂの方向にＬ字状に曲折して形成された押圧部３６が設けられており、中間ユニット１１の基台９への閉鎖時に開閉スプリング３４の付勢力により、基台９の中間ユニット１１側のガイド面９ｂを押圧する（図３（ａ）参照）。
【００４３】
更に、開閉レバー３１のカバーユニット１２側の端部には、その端部を中間ユニット１１のユニット側面１１ｂから離間する方向にＬ字状に曲折して形成された引き手３８が設けられており、ユニット側面１１ｂに設けられた突出部３９の方向に引きつけることにより、開閉スプリング３４の付勢力に抗して、開閉レバー３１をカバーユニット１２の方向に移動させ、ロックレバー２４の爪部２７とカバーユニット支持ステイ１７の係合部２２との間の係合を解除して、カバーユニット１２を中間ユニット１１との連結を解除する解除機構として機能する。
【００４４】
上記の構成のインサータユニット４を備えたプリンタ装置１において、挿入搬送路５および／もしくは排出搬送路６による媒体の搬送中に、ジャム等の搬送障害が発生した場合は、操作者は、上記一般的な開閉機構の場合と同様にして、図６に示すように、印字ユニット２を回動させて、切替ブレード７の先端の移動軌跡（図６に示す２点鎖線）の外側に退避させ、インサータユニット４のロック機構を解除した後に、カバーユニット１２の把手１３を持上げて、図７に示すように、カバーユニット１２を中間ユニット１１から開作動させる。
【００４５】
このとき、ロックレバー２４は、図３（ａ）に示すように、中間ユニット１１と基台９との閉鎖時には、開閉レバー３１の押圧部３６による基台９の押圧により、スライド溝３３に沿ってカバーユニット１２の方向へ移動し、斜面３５によるロックレバー２４の突起部２９の押圧により、ロックスプリング２６の付勢力に抗して、爪部２７がユニット側面１１ｂから離間する方向に回転軸２５を中心として回動しており、その爪部２７とカバーユニット支持ステイ１７の係合部２２との係合は解除されているため、上記一般的な開閉機構の場合と同様に、カバーユニット１２に固定されたガイドピン１８の移動によりカバーユニット支持ステイ１７のガイド溝１９が押されてカバーユニット支持ステイ１７が回転支点１７ａを中心に回動し、ガイドピン１８がガイド溝１９の回動に伴う頂部に達すると（図７参照）、把手１３に加えられた持上げ力が、カバーユニット支持ステイ１７を介して中間ユニット１１に伝達され、中間ユニット１１を回転支点１１ａを中心に回動させて基台９から開作動させることができる（図８参照）。
【００４６】
そして、中間ユニット１１に固定されたガイドピン１５の移動により、これに嵌合する中間ユニット支持ステイ１４のガイド溝１６が押されて中間ユニット支持ステイ１４が回転支点１４ａを中心に回動し、ガイドピン１５がガイド溝１６の回動に伴う頂部に達したときに把手１３に加える持上げ力を緩めると、図８に示すように、中間ユニット１１のガイドピン１５がガイド溝１６の係止部１６ａに係止され、カバーユニット１２のガイドピン１８がガイド溝１９の係止部１９ａに係止されて、中間ユニット１１およびカバーユニット１２がそれぞれ開放支持され、挿入搬送路５および排出搬送路６が開放され、それぞれのガイド面９ｂ、１１ｃ、およびガイド面１１ｄ、１２ｃが露出する。
【００４７】
このとき、ロックレバー２４は、図３（ｂ）に示すように、中間ユニット１１の基台９からの開放時には、開閉レバー３１の押圧部３６による基台９への押圧が解除され、開閉スプリング３４の付勢力によりスライド溝３３に沿って基台９の方向へ移動し、斜面３５によるロックレバー２４の突起部２９への押圧が解除され、ロックスプリング２６の付勢力によって回転軸２５を中心に爪部２７がユニット側面１１ｂの方向に回動し、ロックレバー２４の爪部２７をカバーユニット支持ステイ１７の係合部２２との係合位置（図３（ｂ）に示す位置）に位置させる。
【００４８】
この場合に、カバーユニット支持ステイ１７の係合部２２は、ロックレバー２４の傾斜部２８からカバーユニット１２側に離間した位置（図３（ｂ）に実線で示す位置）に位置している。
【００４９】
挿入搬送路５および排出搬送路６の解放後に、操作者等は、挿入搬送路５および／もしくは排出搬送路６に存在するジャム媒体を除去し、把手１３を持上げながらカバーユニット支持ステイ１７に手を添えてカバーユニット１２のガイドピン１８とガイド溝１９の係止部１９ａとの係止を解除し、図９に示すように、カバーユニット１２を回転支点１２ａを中心に中間ユニット１１へ閉作動させる。
【００５０】
このカバーユニット１２の中間ユニット１１への閉作動時に、カバーユニット支持ステイ１７の係合部２２は、図３（ｂ）に実線で示す位置から２点鎖線で示す位置に向かって移動し、係合部２２の先端がロックレバー２４の傾斜部２８を押圧して、ロックスプリング２６の付勢力に抗して、ロックレバー２４の爪部２７を回転軸２５を中心にユニット側面１１ｂから離間する方向に回動させ、係合部２２の先端が傾斜部２８を通過して図３（ｂ）に２点鎖線で示す位置に達すると、ロックスプリング２６の付勢力によってロックレバー２４の爪部２７が回転軸２５を中心にユニット側面１１ｂの方向に回動し、その爪部２７をカバーユニット支持ステイ１７の係合部２２に自動的に係合させ、カバーユニット１２と中間ユニット１１とが一体に連結される。
【００５１】
そして、操作者は、把手１３を持上げながら中間ユニット支持ステイ１４に手を添えて中間ユニット１１のガイドピン１５とガイド溝１６の係止部１６ａとの係止を解除し、図１０に示すように、中間ユニット１１を回転支点１１ａを中心に基台９へ閉作動させ、その後に印字ユニット２を閉作動させ、インサータユニット４および印字ユニット２を基台９に自動的にロックさせる。
【００５２】
この場合に、本実施例のインサータユニット４のカバーユニット１２と中間ユニット１１とは連結機構２１によって連結されているので、操作者が把手１３を手で支えていれば、中間ユニット１１が操作者の意に反して急激に閉作動することはなく、樹脂製の切替ブレード７等の中間ユニット１１や基台９の部品を損傷させる恐れを解消することができると共に、指等の挟み込みを防止して、安全にジャム媒体の除去作業を行うことができる。
【００５３】
また、操作者がインサータユニット４の閉作動に、図９に示す状態で、再度カバーユニット１２を開放する場合は、引き手３８と突出部３９とに指をかけて、引き手３８を突出部３９の方向に引きつけると、開閉レバー３１が、そのスライド溝３３に沿ってカバーユニット１２の方向へ移動し、その斜面３５がロックレバー２４の突起部２９を押圧して、ロックレバー２４に爪部２７が回転軸２５を中心にロックスプリング２６の付勢力に抗してユニット側面１１ｂから離間する方向に回動し、ロックレバー２４の爪部２７とカバーユニット支持ステイ１７の係合部２２との係合を解除することができ、カバーユニット１２を把手１３により開作動させて、再度排出搬送路６を開放することができる。
【００５４】
この場合には、中間ユニット１１は、突出部３９を用いて操作した操作者によって支えられ、かつ中間ユニット支持ステイ１４の係止部１６ａにより開放支持されているので、中間ユニット１１が操作者の意に反して急激に閉作動することはない。
【００５５】
以上説明したように、本実施例では、インサータユニットの閉作動に、カバーユニットと中間ユニットとを連結機構によって自動的に連結するようにしたので、インサータユニットの解放後の閉作動に、中間ユニットが操作者の意に反して急激に閉作動することを防止することができ、中間ユニットや基台の部品を損傷させる恐れを解消することができると共に、指等の挟み込みを防止して、安全にジャム媒体の除去作業を行うことができる。
【符号の説明】
【００５６】
１    プリンタ装置
２    印字ユニット
２ａ、１１ａ、１２ａ、１４ａ、１７ａ  回転支点
３    印字ヘッド
４    インサータユニット
５    挿入搬送路
５ａ  挿入口
６    排出搬送路
６ａ  排出口
７    切替ブレード
９    基台
９ａ  基台側面
９ｂ、１１ｃ、１１ｄ、１２ｃ  ガイド面
１０  印字搬送路
１１  中間ユニット
１１ａ、１１ｂ  回転支点
１１ｂ、１２ｂ  ユニット側面
１２  カバーユニット
１３  把手
１４  中間ユニット支持ステイ
１５、１８  ガイドピン
１６、１９  ガイド溝
１６ａ、１９ａ  係止部
１７  カバーユニット支持ステイ
２１  連結機構
２２  係合部
２３  取付ブラケット
２３ａ  側板
２４  ロックレバー
２５  回転軸
２５ａ  嵌合穴
２６  ロックスプリング
２７  爪部
２８  傾斜部
２９  突起部
３１  開閉レバー
３２  スライドピン
３３  スライド溝
３４  開閉スプリング
３４ａ  取付穴
３４ｂ  取付部
３５  斜面
３６  押圧部
３８  引き手
３９  突出部
【図１】
0005517545.tif 000002
【図２】
0005517545.tif 000003
【図３】
0005517545.tif 000004
【図４】
0005517545.tif 000005
【図５】
0005517545.tif 000006
【図６】
0005517545.tif 000007
【図７】
0005517545.tif 000008
【図８】
0005517545.tif 000009
【図９】
0005517545.tif 000010
【図１０】
0005517545.tif 000011
【図１１】
0005517545.tif 000012
【図１２】
0005517545.tif 000013
【図１３】
0005517545.tif 000014
【図１４】
0005517545.tif 000015
【図１５】
0005517545.tif 000016
【図１６】
0005517545.tif 000017